(57)【要約】      （修正有）【課題】位置情報に関連付けて情報を記録し、その情報をもとに利用者の関心事に即した精度の高い情報の受送信を可能とする情報受送信装置を提供する。【解決手段】端末１０から、登録位置情報と、関心事情報とを含む位置情報ブックマーク情報を取得する情報取得手段と、情報取得手段が取得した位置情報ブックマーク情報を端末１０に発信する情報発信手段と、を備える。情報送信手段は、端末１０から検索位置情報を受けつけ、検索位置情報に特定される位置と一定の距離の範囲内にある位置に対応する位置情報ブックマーク情報を抽出する情報検索手段３４０を含み、情報検索手段３４０によって抽出された位置情報ブックマーク情報に含まれる関心事情報に関する情報を端末１０に送信する。【選択図】図１
2008242526.tif 000002
【特許請求の範囲】
【請求項１】
複数の端末とネットワークを通じて接続され、前記端末に対して情報を受送信する情報受送信装置であって、
前記端末から、登録位置情報と、関心事情報とを含む位置情報ブックマーク情報を取得する情報取得手段と、
前記情報取得手段が取得した前記位置情報ブックマーク情報を前記端末に送信する情報送信手段と、を備え、
前記情報取得手段は、
前記登録位置情報と、前記関心事情報とを受けつけ、
前記登録位置情報と、前記関心事情報とを関連付けて前記位置情報ブックマーク情報を蓄積する蓄積手段を含み、
前記情報送信手段は、
前記端末から検索位置情報を受けつけ、
前記検索位置情報に特定される位置と一定の距離の範囲内にある位置に対応する前記位置情報ブックマーク情報を抽出する検索手段を含み、
前記検索手段によって抽出された前記位置情報ブックマーク情報に含まれる前記関心事情報に関する情報を前記端末に送信することを特徴とする情報受送信装置。
【請求項２】
前記端末は、移動端末であることを特徴とする請求項１記載の情報受送信装置。
【請求項３】
前記検索手段は、前記検索位置情報により特定される位置と、蓄積された前記登録位置情報により特定される位置との距離を測定し、該距離が所定の距離の範囲内であるか否かを判別し、前記所定の距離の範囲内にある位置に対応する前記位置情報ブックマーク情報を抽出することを特徴とする請求項１または２記載の情報受送信装置。
【請求項４】
前記所定の距離は、前記検索位置情報の精度に応じて設定されることを特徴とする請求項３記載の情報受送信装置。
【請求項５】
前記情報取得手段は、利用者情報を取得し、
前記蓄積手段は、前記利用者情報に対応する利用者毎の前記位置情報ブックマーク情報を蓄積することを特徴とする請求項１乃至４いずれか記載の情報受送信装置。
【請求項６】
前記検索手段は、受け付けた前記利用者情報から特定される利用者と異なる利用者の前記位置情報ブックマーク情報を検索することを特徴とする請求項５記載の情報受送信装置。
【請求項７】
前記位置情報ブックマーク情報は、非関心事情報をさらに含み、
前記蓄積手段は、前記登録位置情報と、前記非関心事情報とを関連付けて前記位置情報ブックマーク情報を蓄積し、
前記検索手段は、前記非関心事情報を含む前記位置情報ブックマーク情報を抽出しないことを特徴とする請求項１乃至６記載の情報受送信装置。
【請求項８】
前記位置情報ブックマーク情報は、前記位置情報ブックマークに含まれる情報を利用できる利用者を制限する公開範囲情報をさらに含み、
前記蓄積手段は、前記公開範囲情報と、前記関心事情報とを関連付けて蓄積し、
前記検索手段は、前記利用者情報によって特定される前記利用者に適合する前記公開範囲情報に対応する前記位置情報ブックマーク情報を抽出することを特徴とする請求項５乃至７いずれか記載の情報受送信装置。
【請求項９】
複数の端末と、前記端末に対して情報を受送信する情報受送信装置とをネットワークを介して接続する情報受送信システムであって、
前記端末は、
前記情報受送信装置に対して、登録すべき登録位置情報と、検索すべき検索位置情報と、関心事情報とを含む位置情報ブックマーク情報を発信する情報発信手段と、
前記情報受送信装置から前記位置情報ブックマーク情報を受信する情報受信手段と、を備え、
前記情報受送信装置は、
前記端末から、前記位置情報ブックマーク情報を取得する情報取得手段と、
前記情報取得手段が取得した前記位置情報ブックマーク情報を前記端末に送信する情報送信手段と、を備え、
前記情報取得手段は、
前記登録位置情報と、前記関心事情報とを受けつけ、
前記登録位置情報と、前記関心事情報とを関連付けて前記位置情報ブックマーク情報を蓄積する蓄積手段を含み、
前記情報送信手段は、
前記端末から前記検索位置情報を受けつけ、
前記検索位置情報に特定される位置と一定の距離の範囲内にある位置に対応する前記位置情報ブックマーク情報を抽出する検索手段を含み、
前記検索手段によって抽出された前記位置情報ブックマーク情報に含まれる前記関心事情報に関する情報を前記端末に送信することを特徴とする情報受送信システム。
【発明の詳細な説明】
【技術分野】
【０００１】
本発明は、複数の端末とネットワークを通じて接続され、端末に対して情報を受送信する情報受送信装置及び該情報受送信装置を含むシステムに関する。
【背景技術】
【０００２】
近年、一般消費者の要求の多様性が高まっているが、年齢や性別、職業、関心事といった比較的静的な要素のみから分類した集団に対する情報発信（いわゆるマスマーケティング）の効果はそれほど高くない。これに対して、インターネットの双方向性を利用し個人向けにカスタマイズした情報を発信（いわゆるｏｎｅ−ｔｏ−ｏｎｅマーケティング）し、より各個人の嗜好に合わせた情報発信が可能になっている。
【０００３】
また、技術の発展により、全地球範囲かつ全地球単位での移動体端末の位置情報を収集し蓄積することが可能になっており、このような技術を利用することで、一般消費者の各個人レベルの詳細な位置情報の収集と集積も比較的低コストで実現可能になってきている。
【０００４】
一方、個人の嗜好に関する情報とは極めて秘匿性の高い個人情報であり、情報の収集自体は技術的には可能であっても、広く一般に受け入れられることが非常に困難である。
【０００５】
こうしたインターネットなどの世界で比較的容易に実現可能な利用者個人の関心事に合わせた情報発信の仕組みと、旧来からの看板やポスターなどのある物理的な位置に到達した不特定多数の広く一般に情報を発信する仕組みを融合させることができれば、大きなＰＲ効果が発揮されることが期待される。
【０００６】
従来から位置情報をキーにしたブックマークサービスの案は提案されており、例えば特許文献１は、位置情報ブックマークシステムの実現案の一つとなっている。
【特許文献１】特開２００６−３１３７９
【発明の開示】
【発明が解決しようとする課題】
【０００７】
しかしながら、上記文献記載の従来技術は、利用者の関心事は利用者が登録するブックマークのコンテンツにのみ登録される閉じた構成であり、利用者の隠れた潜在意識や的確な利用者の関心事を抽出するには、各利用者が膨大な利用経験を蓄積する必要がある。
【０００８】
また、インターネットなどで実現されている利用者毎にカスタマイズした情報の発信は、事前にある種のアンケートにより選択可能なカテゴリ分けされた情報や、ネットワーク上で行われた活動のみを基にした情報発信であり、真に利用者の関心事に即した情報や、物理世界での行動や状況に応じた情報の提供が難しいといった課題がある。
【課題を解決するための手段】
【０００９】
本発明によれば、
複数の端末とネットワークを通じて接続され、端末に対して情報を受送信する情報受送信装置であって、
上記端末から、登録位置情報と、関心事情報とを含む位置情報ブックマーク情報を取得する情報取得手段と、
情報取得手段が取得した位置情報ブックマーク情報を上記端末に送信する情報送信手段と、を備え、
上記情報取得手段は、
登録位置情報と、関心事情報とを受けつけ、
登録位置情報と、関心事情報とを関連付けて位置情報ブックマーク情報を蓄積する蓄積手段を含み、
上記情報送信手段は、
端末から検索位置情報を受けつけ、
検索位置情報に特定される位置と一定の距離の範囲内にある位置に対応する位置情報ブックマーク情報を抽出する検索手段を含み、
検索手段によって抽出された位置情報ブックマーク情報に含まれる前記関心事情報に関する情報を端末に送信することを特徴とする情報受送信装置
が提供される。
【００１０】
また、本発明によれば、
複数の端末と、端末に対して情報を受送信する情報受送信装置とをネットワークを介して接続する情報受送信システムであって、
上記端末は、
情報受送信装置に対して、登録すべき登録位置情報と、検索すべき検索位置情報と、関心事情報とを含む位置情報ブックマーク情報を発信する情報発信手段と、
情報受送信装置から前記位置情報ブックマーク情報を受信する情報受信手段と、を備え、
上記情報受送信装置は、
上記端末から、位置情報ブックマーク情報を取得する情報取得手段と、
情報取得手段が取得した位置情報ブックマーク情報を端末に送信する情報送信手段と、を備え、
情報取得手段は、
登録位置情報と、関心事情報とを受けつけ、
登録位置情報と、関心事情報とを関連付けて位置情報ブックマーク情報を蓄積する蓄積手段を含み、
情報送信手段は、
端末から検索位置情報を受けつけ、
検索位置情報に特定される位置と一定の距離の範囲内にある位置に対応する位置情報ブックマーク情報を抽出する検索手段を含み、
検索手段によって抽出された位置情報ブックマーク情報に含まれる関心事情報に関する情報を端末に送信することを特徴とする情報受送信システム
が提供される。
【００１１】
この発明によれば、利用者全ての位置情報と関心事情報を関連付けて管理可能にすることにより、物理的な位置情報から、関心事情報によって関連付けられた位置情報を抽出することができ、利用者個人の利用経験に加えて他の利用者の利用経験が情報の抽出に利用することができ、利用者にとって関心度の高い情報を効果的に発信する。これにより、想定外の関連情報を提供し、利用者に気づきを与える情報発信を可能とする。
【発明の効果】
【００１２】
本発明によれば、位置情報に関連付けて情報を記録し、その情報をもとに利用者の関心事に即した精度の高い情報の受送信を可能になる。
【発明を実施するための最良の形態】
【００１３】
以下、本発明の実施の形態について、図面を用いて説明する。尚、すべての図面において、同様な構成要素には同様の符号を付し、適宜説明を省略する。
【００１４】
図１は、本実施形態の情報受送信装置を示す構成図である。
本実施形態の情報受送信装置は、複数の端末１０と通信ネットワーク１０００を通じて接続され、端末１０に対して情報を受送信する情報受送信装置５００である。
端末１０から、登録位置情報と、関心事情報とを含む位置情報ブックマーク情報を取得する情報取得手段（情報取得部７０、端末位置検知手段２１０、位置情報解析手段３１０、位置情報ブックマーク管理手段３３０、位置情報ブックマークデータベース５０）と、情報取得手段が取得した位置情報ブックマーク情報を端末１０に発信する情報発信手段（情報取得部７０、端末位置検知手段２１０、位置情報解析手段３１０、情報検索手段３４０、情報送信手段３２０）と、を備える。
情報取得手段は、登録位置情報と、関心事情報とを受けつけ、登録位置情報と、関心事情報とを関連付けて位置情報ブックマーク情報を蓄積する位置情報ブックマーク管理手段３３０を含む。
情報送信手段は、端末１０から検索位置情報を受けつけ、検索位置情報に特定される位置と一定の距離の範囲内にある位置に対応する位置情報ブックマーク情報を抽出する情報検索手段３４０を含み、情報検索手段３４０によって抽出された位置情報ブックマーク情報に含まれる関心事情報に関する情報を端末１０に送信する。
【００１５】
情報受送信装置５００は、端末の位置を検知する機器２０と、情報発信システム３０と、情報取得部外部の情報データベースである情報データベース４０から構成されている。情報受送信装置５００は、個人用情報機器である複数の端末１０と、通信ネットワーク１０００を介して接続されている。
【００１６】
端末１０は、情報受送信装置５００に対して、登録すべき登録位置情報と、検索すべき検索位置情報と、関心事情報とを含む位置情報ブックマーク情報を発信する情報発信手段１２０と、情報受送信装置５００から位置情報ブックマーク情報に関する情報を受信する情報受信手段１３０と、を備える。
【００１７】
また、端末１０は、位置情報取得手段１１０及び情報操作手段１４０を備える。
【００１８】
位置情報取得手段１１０は、現在の位置を示す位置情報を計算により導出し、得られた位置情報を情報操作手段１４０や情報発信手段１２０に出力する。
【００１９】
情報発信手段１２０は、インターネットなどの通信ネットワーク１０００を介して、情報の発信を行う。
【００２０】
情報受信手段１３０は、インターネットなどの通信ネットワーク１０００を介して、情報の受信を行う。
【００２１】
情報操作手段１４０は、端末１０の操作、および、文字列や音声、画像、映像の情報の入力や出力を行う利用者と端末１０の間のユーザインターフェースである。
【００２２】
端末１０は、移動端末である。端末１０は、たとえば、ＧＰＳ（Ｇｌｏｂａｌ  Ｐｏｓｉｔｉｏｎｉｎｇ  Ｓｙｓｔｅｍ）を利用することが可能な携帯電話機が例に挙げられる。この場合、位置情報取得手段１１０が、ＧＰＳ衛星からＧＰＳ信号を受信する。  
【００２３】
通信ネットワーク１０００は、公衆電話回線、専用回線、インターネット等であり、ネットワーク１０００は、情報発信システム３０と、端末１０を接続する。
【００２４】
機器２０は、端末位置検知手段２１０を含む。
【００２５】
情報発信システム３０は、位置情報解析手段３１０と、情報送信手段３２０と、位置情報ブックマーク管理手段３３０と、情報検索手段３４０と、位置情報ブックマークデータベース５０と、利用者情報データベース６０を含む。
【００２６】
位置情報解析手段３１０は、位置情報を解析し、変換する機能を有し、入力された経度、緯度情報や、住所、郵便番号を位置情報ブックマークのキーとなる位置情報への相互変換を行う。位置情報は、ある物理的な空間の位置情報を示す情報であり、例えば、経度、緯度、高さである。
【００２７】
情報送信手段３２０は、通信ネットワーク１０００を介して、端末１０に、情報の送信を行う。
【００２８】
位置情報ブックマーク管理手段３３０は、位置情報ブックマークの登録、更新及び削除を行う手段であり、要求に応じて位置情報ブックマークデータベース５０の参照及び更新を行う。
【００２９】
情報検索手段３４０は、入力された位置情報をキーに利用者情報と関心事情報から、位置情報ブックマークデータベース５０上に登録された位置情報ブックマークの検索を行う。同様に位置情報と関心事情報から、情報データベース４０上に登録された情報の検索を行う。また、情報検索手段３４０は、受け付けた利用者情報から特定される利用者と異なる利用者の位置情報ブックマークを検索する。
【００３０】
情報データベース４０は、位置情報ブックマークを格納する。
【００３１】
位置情報ブックマークデータベース５０は、端末１０から情報取得手段により取得した位置情報ブックマークを利用者ごとに格納する。
【００３２】
利用者情報データベース６０は、利用者情報を格納する。利用者情報は、利用者を特定する情報である。
【００３３】
情報取得部７０は、端末１０から位置情報と、関心事情報と、利用者情報とを関連付けて受けつける。また、情報取得部７０は、端末１０から非関心事情報を受けつけることもできる。
【００３４】
位置情報ブックマークは、利用者から直接的に利用される位置情報と、関心事情報を関連付けたメタデータを有する。
関心事情報は任意のデータ（コンテンツ）であり、例えば、テキストデータやバイナリデータがある。テキストデータとは、例えば、メモや文章、ｈｔｍｌやｘｍｌなどのマークアップされたテキスト、外部の情報に対するリンクであり、バイナリデータは、例えば、画像や映像、アプリケーションのデータファイルやプログラムである。
【００３５】
コンテンツには、それぞれ任意のタイトルがつけられる。
また、コンテンツは、カテゴリごとに分類される。カテゴリは、たとえば、「広報」、「メモ」、「スケジュール」があり、データの種類によって任意のカテゴリに分類することができる。
また、コンテンツから、任意の関心事キーワード（Ｉｎｃｌｕｄｅ  Ｋｅｙｓ）と、非関心事キーワード（Ｅｘｃｌｕｄｅ  Ｋｅｙｓ）が抽出され、位置情報ブックマークで管理する情報とすることができる。
【００３６】
さらに、位置情報ブックマークは、位置情報とデータだけでなく、公開範囲や関連する他の位置情報ブックマークと関連付けることができるが、詳細については、後述する。
【００３７】
図２〜４は、位置情報ブックマークの構造を示す図である。
図２では、位置情報が公開範囲と関連付けられている。位置情報ブックマークは「コンテンツＩＤ」で識別される。
図３では、コンテンツＩＤとコンテンツが関連付けられている。
図４では、コンテンツＩＤとカテゴリ、関心事キーワード、非関心事キーワード、及び関連する他のコンテンツＩＤが関連付けられる。
図２〜４で示される構成を総括して、以下、「位置情報ブックマークテーブル」という。
【００３８】
以上の構成により、位置情報ブックマークは、コンテンツＩＤを介して、個々の位置情報ブックマークが関連付けられることとなる。そして、様々な情報を混在させることにより、個々の位置情報ブックマーク間の関連が生まれ、システム利用者全体の利用経験が、各利用者に対して発信される情報の精度を高めるための仕組みとなっている。
【００３９】
以下、本実施形態の動作について説明する。
図５は、位置情報ブックマークの登録フェーズにおける情報受送信装置５００と端末１０との間の動作を示すフロー図である。
利用者は、情報操作手段１４０を操作して、情報発信システム３０への位置情報ブックマークの登録を開始する。
利用者は、情報操作手段１４０を操作し、端末１０に対し、関心事情報の登録を行う。
位置情報取得手段１１０は、ＧＰＳなどに代表される端末１０が存在している物理的な位置情報を取得し、情報発信手段１２０は、位置情報、関心事情報、公開範囲情報を発信し、情報受送信装置５００に対して、位置情報ブックマークの登録要求をする。
情報取得部７０は、位置情報ブックマークの登録要求を上記の情報とともに、端末１０から受けつける。このとき、位置情報と関心事情報とは関連付けて取得される。情報取得部７０は、端末位置検知手段２１０に対し、位置情報を送出する。また、情報取得部７０は、位置情報以外の情報（利用者情報、関心事情報、公開範囲情報等）を位置情報ブックマーク管理手段３３０に送出する。
位置情報ブックマーク管理手段３３０は、利用者情報データベース６０を利用して、端末１０から受信した利用者情報から位置情報ブックマークデータベース５０に格納される位置情報ブックマークテーブルの利用者毎の領域を特定する。
また、位置情報解析手段３１０は、位置情報を位置情報ブックマークデータベース５０の位置情報ブックマーテーブルのキーとなる位置情報に合致する形式に変換し、位置情報ブックマーク管理手段３３０に送出する。
位置情報ブックマーク管理手段３３０は、位置情報ブックマークデータベース５０上の位置情報ブックマークに対して位置情報、関心事情報、公開範囲情報を書き込み、最後に、情報送信手段３２０は、位置情報ブックマーク登録処理の結果を端末１０に送信する。
情報操作手段１４０は、情報受信手段１３０を介して得られた位置情報ブックマーク登録処理結果を、利用者に対して出力する。
【００４０】
図６は、登録された位置情報ブックマークに基づいた情報を端末１０に送信するフェーズの情報受送信装置５００と端末１０との間の動作を示すフロー図である。
端末１０は、定期的に位置情報取得手段１１０を使用して端末１０の位置情報と利用者情報を位置情報送受信装置５００に対して発信する。
情報取得部７０は、端末１０から位置情報と利用者情報を取得する。このとき、位置情報と利用者情報は、関連付けて取得される。情報取得部７０は、端末位置検知手段２１０に位置情報を送出する。このとき、情報取得部７０は、直接位置情報解析手段３１０や位置情報ブックマーク管理手段３３０に位置情報を送出してもよい。また、情報取得部７０は、利用者情報を情報検索手段３４０に送出する。
位置情報解析手段３１０は、受信した位置情報を位置情報ブックマークデータベース５０の位置情報ブックマークテーブルのキーとなる位置情報に合致する形式に変換して、情報検索手段３４０に送出する。
情報検索手段３４０は、利用者情報データベース６０を参照して、受信した位置情報と利用者情報をキーに位置情報ブックマークデータベース５０上に登録された位置情報ブックマークの位置情報との比較を行う。端末１０から受信した位置情報が、位置情報ブックマークに登録済みの位置情報に示すエリアに包含されていた場合、情報検索手段３４０は、位置情報ブックマークとして登録されていた位置情報をキーとし、位置情報ブックマークから得られた関心事情報を基に位置情報ブックマークデータベース５０に格納された位置情報ブックマークの全領域を検索する。このとき、情報検索手段３４０は、情報データベース４０を検索することもできる。情報検索手段３４０は、得られた関心事情報に関する情報を情報送信手段３２０に送出し、情報送信手段３２０は該情報を端末１０に対して送信する。情報受信手段１３０は、情報を受信したことを情報操作手段１４０を介して利用者に通知する。
これにより、利用者は、関心事に適した情報のみを受け取る事が可能となる。
【００４１】
図６に示すフローによって端末１０に発信した情報が、利用者にとって、非関心事であった場合、利用者は、通知された情報が非関心事情報であることの登録を要求することができる。図７は、非関心事情報を登録するフェーズの情報受送信装置５００と端末１０との間の動作を示すフロー図である。
図７は、図６のフローの延長である。
利用者は情報操作手段１４０を使用して通知された情報を確認した際に、通知された情報が関心事に沿うものでなかった場合、非関心事の登録を開始する。情報操作手段１４０は、位置情報ブックマーク管理手段３３０に対して、非関心事情報の登録要求を情報受送信装置５００に発信する。
情報取得部７０は、端末１０より非関心事情報を受けつけ、位置情報ブックマーク管理手段３３０に送出する。非関心事情報は、例えば、通知した情報のＩＤやカテゴリ、キーワードなどである。
位置情報ブックマーク管理手段３３０は、情報通知の基になった位置情報ブックマークに非関心事情報を追加し、位置情報ブックマークデータベース５０が格納する位置情報ブックマークテーブルの更新を行う。その後、情報送信手段３２０は、位置情報ブックマークの登録処理の結果を端末１０に送信する。
情報操作手段１４０は、情報受信手段１３０を介して得られた位置情報ブックマーク登録処理結果を、利用者に対して出力する。
これにより、次回から非関心事に関する情報は、情報検索手段３４０による検索対象から除外されることになり、利用者が受け取る情報の精度（利用者の関心事への適合度合い）が高まり、より関心事に適した情報のみを受け取ることが可能となる。
【００４２】
位置情報ブックマークは、位置情報ブックマークに含まれる情報を利用できる利用者を制限する公開範囲を含む。位置情報ブックマーク管理手段３３０は、公開範囲と、関心事情報とを関連付けて蓄積する。情報検索手段３４０は、利用者情報によって特定される利用者に適合する公開範囲に対応する位置情報ブックマーク情報を抽出する。
【００４３】
公開範囲とは文字通り、その位置情報ブックマークの共有範囲を表すものである。
本実施形態では、位置情報ブックマークとして様々な情報を混在させることにより、個々の位置情報ブックマーク間の関連が生まれ、システム利用者全体の利用経験が、各利用者に対して発信される情報の精度を高めるための仕組みとなっている。しかし、これらの情報には、他者に参照されることが好ましくない個人的な情報や、広く一般に知らしめたい広告のような情報、その中間の特定の個人やグループに内でのみ共有したい情報が含まれる。公開範囲は、このような情報の伝播範囲を利用者が制限するための仕組みである。
【００４４】
図８は、情報の公開範囲を模式的に表した例である。ｐｒｉｖａｔｅは、各利用者のみが参照可能であることを意味しており、公開範囲はｐｒｉｖａｔｅの位置情報ブックマークは利用者個人のみとなる。ｕｓｅｒｓは、各利用者の利用者ＩＤやユーザ名などのリストであることを意味しており、公開範囲は直接指定されたユーザのみとなる。
ｇｒｏｕｐは、任意の利用者の集団を表すグループＩＤやグループ名を意味しており、公開範囲はこのグループに含まれる利用者のみとなる。利用者は複数のグループに属することができる。ｐｕｂｌｉｃは、全ての利用者に対して公開することを意味しており、公開範囲は全ての利用者となる。
【００４５】
つづいて、情報検索手段３４０について詳細を説明する。
情報検索手段３４０は、ある利用者からの検索要求を基に位置情報ブックマークデータベース５０の検索を行う手段である。
【００４６】
図９は、位置情報ブックマーク間の物理的な相関関係をイメージ化したものである。
この経度、緯度、高さの精度を変えるによっては、絶対的な位置情報の点を中心とした一定の範囲が表現可能であることをあらわしている。つまり、位置情報が高精度であればあるほどその位置情報があらわす範囲が狭く、逆に精度が低いほどその位置情報があらわす範囲が広くなることを意味する。ある程度の広さの物理的空間の位置情報を表す住所はＧＰＳなどにより得られる高精度な位置情報に比べて精度が低いと考えることができ、位置情報解析手段３１０が住所として入力された位置情報を変換した場合ある程度の精度の位置情報が返されることを意味している。
【００４７】
情報検索手段３４０は、端末１０から受けつけた位置情報により特定される位置と、蓄積された登録位置情報により特定される位置との距離を測定し、該距離が所定の距離の範囲内であるか否かを判別する。その結果、所定の距離の範囲内にある位置に対応する位置情報ブックマークを抽出される。所定の距離は、検索位置情報の精度に応じて設定される。情報発信システム３０は、この所定の距離を記憶する格納部を有する（図示せず）。
【００４８】
たとえば、位置情報が、端末１０から住所として入力された場合、ｄ１ｋｍが設定される。また、位置情報が、ＧＰＳにより得られた位置情報である場合、ｄ２ｋｍと設定される。住所はＧＰＳなどにより得られる位置情報に比べて精度が低いことから、ｄ１で示される距離はｄ２で示される距離より小さくなる。ＧＰＳよりＰ０００（ａ、ｂ、ｃ）の位置を示す検索位置情報を受けつけた場合、情報検索手段は、蓄積された位置情報ブックマークが有する各位置情報とＰの距離を算出し、ｄ２ｋｍ以下にある位置情報ブックマークを抽出する。
【００４９】
このように、情報検索手段３４０は、指定された位置情報の精度から、検索対象とする物理的な空間の範囲を判断し、この範囲に包含される位置情報を持つ位置情報ブックマークのみを抽出する。この時、情報検索手段３４０は、検索時の条件として公開範囲を使用する。基本的に公開範囲がｐｕｂｌｉｃおよび利用者自身が登録した位置情報ブックマークは必ず検索対象となる。合わせて情報検索手段３４０は利用者情報を基に、利用者が属するｇｒｏｕｐを列挙し、得られた結果のｇｒｏｕｐ情報または利用者情報が公開範囲に含まれるレコードのみを検索する。そのため、利用者に対して公開されていない位置情報ブックマークは検索対象とならない。
【００５０】
図１０は、利用者Ａが利用可能な位置情報ブックマークを示す。
また、図１１は、利用者Ｂが利用可能な位置情報ブックマークを示す。
また、図１２は、情報発信システム３０が情報データベース４０から受けつけた位置情報ブックマークを示す。
図１０の例に示すような位置情報ブックマークテーブルを持つある利用者Ａからの検索要求においては、図１０〜１２中のコンテンツＩＤ００１〜００５の位置情報ブックマークが検索対象となるが、図１１の例に示すような位置情報ブックマークテーブルを持つある利用者Ｂからの検索要求では、図１１、１２中のコンテンツＩＤ００４〜００５の位置情報ブックマークが検索対象となり、図１０中のコンテンツＩＤ００１〜００３は、公開範囲が利用者Ｂの利用者情報と適合しないので、検索対象外となる。
【００５１】
位置情報ブックマークが持つ位置情報ブックマーク間の関連について図９〜１２を用いて説明する。
図９で示すＣ００１〜００５は、それぞれ、図１０〜１２で示すコンテンツＩＤ００１〜００５が有する位置情報の範囲を示している。
【００５２】
関連とは文字通り、位置情報ブックマークとブックマーク間の関連を示すものである。関連には物理的な空間による関連と、ブックマークとして登録された情報による関連の２種類が存在する。
【００５３】
利用者Ａが登録したコンテンツＩＤ００３は、打合せで利用したビルの名称（図１０〜１２ではビルの名称が黒丸で示される）というデータを介して、当該ビルの位置情報とホームページのリンクを含む位置情報ブックマーク（コンテンツＩＤ００５）と関連することとなる。
また、コンテンツＩＤ００４は、利用者Ｂの関心事であるラーメン店が同じビル内にあることにより、ＩＤ００４とＩＤ００５が関連することとなる。
したがって、コンテンツＩＤ００５が有する位置情報の範囲を示すＣ００５は、コンテンツＩＤ００３、００４が有する位置情報の範囲Ｃ００３、Ｃ００４を包含しており、コンテンツＩＤ００３〜００５は物理的な空間による関連があることを意味することとなる。
【００５４】
さらに、図１０ではコンテンツＩＤ００２はコンテンツＩＤ００５に関連付けられていることを表している。
コンテンツＩＤ００２の位置情報を示すＣ００２と、コンテンツＩＤ００５の位置情報を示すＣ００５は空間的な関連は無いが、利用者Ａにとっては、ＩＤ００２が有する位置情報（ｘ'，ｙ'，ｚ'）が示す場所で待ち合わせた後に向かう先が、ＩＤ００５が有する位置情報（ｘ，ｙ，ｚ）が示す場所であることから、利用者の関心事によって位置と位置が関連付けられる。
したがって、コンテンツＩＤ００２と、コンテンツＩＤ００５は、ブックマークとして登録された情報による関連を意味することとなる。
【００５５】
さらに、図１０ではコンテンツＩＤ００１はコンテンツＩＤ００４の位置情報ブックマークに関連付けられていることを表している。以下にこの関連づけについて説明する。
利用者Ａは、図６で示すフローを実行し、今度行ってみたいラーメン屋の位置を登録する。この位置情報ブックマークはＩＤ００１と登録される。
そして、Ｐ０００（ａ，ｂ，ｃ）の位置において、図６で示す動作を実行する場合、情報検索手段３４０は、位置範囲をＣ００５で示す範囲を特定したとすると、Ｃ００５が包含する位置情報ブックマークＩＤ００１〜００５を抽出する。利用者の関心事は醤油ラーメンであるとすると、ＩＤ００１のみが該当することとなるが、ＩＤ００１が有する関心事キーワードを基に情報検索手段３４０は、位置情報ブックマークデータベース５０を検索し、ＩＤ００１と位置情報と関心事キーワードが一致する利用者Ｂが有する位置ブックマークＩＤ００４の情報も合わせて抽出する。利用者ＡはＩＤ００１とＩＤ００４の情報が通知されることとなり、ＩＤ００４は、利用者Ａにとって有益な情報である可能性がある。利用者Ａは、図５で示すフローで、ＩＤ００４をＩＤ００１と関連づけて登録することもできる。
【００５６】
以下本実施形態の効果について説明する。  
第１の効果は、これまで以上に利用者一人一人に応じた精度の高い情報の発信ができることにある。その理由は、物理的な位置情報に対して関連する情報を登録するためである。つまり、ある場所に対する意味づけが行うことができる。
第２の効果は、これまで以上に利用者一人一人に応じた精度の高い情報の発信ができることにある。その理由は、情報発信のトリガとなる位置情報ブックマークに対し、関心事だけでなく望まない関心事の非関心事を登録可能にしているためである。
第３の効果は、利用者個人の本システムの利用経験だけでなく利用者集団の利用経験が情報発信時の条件付けとなる情報と情報の関連を蓄積し、高めることができることにある。その理由は、第２効果の理由と同様に位置情報ブックマークに対し関心事だけでなく望まない関心事の非関心事を登録可能にしていることに加え、位置情報ブックマークに公開範囲を持たせているためである。
【００５７】
以上、図面を参照して本発明の実施形態について述べたが、これらは本発明の例示であり、上記以外の様々な構成を採用することもできる。
【００５８】
上記実施形態について、以下の変形例が挙げられる。
端末１０は、位置情報取得手段１１０を含まないコンピュータであってもよい。
また、端末１０は、ＰＣなどのコンピュータとしてもよい。
また、利用者は情報操作手段１４０を通じて、住所や郵便番号を入力することにより位置情報を指定してもよいし、地図上のポイントやリストから選択することで、位置情報を入力してもよい。
【００５９】
端末１０に端末位置検知手段２１０が含まれる構成としてもよい。この場合、端末１０自体が位置情報ブックマークに登録された空間に到達したことを検知し、情報受送信装置５００に情報発信指示を行うことができる。
【００６０】
情報取得部７０は、端末１０から受けつけた位置情報を端末位置検知手段２１０に対し、送出する構成を示したが、位置情報解析手段３１０や位置情報ブックマーク管理手段３３０に直接送出する構成としてもよい。
【００６１】
情報データベース４０は、情報受送信装置５００とは別の情報提供システムとしてもよい。例えばインターネットを介して接続される構成としてもよい。
【００６２】
情報操作手段１４０は、利用者に対して表示する検索結果はテストベースの一覧表示だけでなく、地図上にポインタを配置した表示方法、建物などの３次元イメージ上にポインタを配置した表示方法としてもよい。
【００６３】
利用者情報は端末１０を一意であることを保障するＩＭＳＩなどであっても良い。
図６で示すフローは、端末１０が定期的に情報を送信するのではなく、利用者が意識的に現在の位置情報を送信することをもって開始して良い。
また、図６で示すフローは、端末１０の位置情報取得手段１１０が取得した現在の位置情報ではなく、利用者の入力または選択により決定される位置情報が発信されることをもって開始しても良い。
【００６４】
本発明は、ポスター、看板などの広告やキャッチなどの人的パワーによる集客といった比較的マス向けの情報発信用途に適用することができる。
また、遺跡や名所などの観光スポットでの情報提供（例えば、ガイドやたて看板）、建物案内といった場所固有の情報発信の用途にも適用可能である。
また、社内向けＰＲポスター、掲示板、時刻表の案内、店舗内商品案内といった一定の場所に集まっている人々を情報を伝えるべき相手と判断できる場合の情報発信の用途にも適用可能である。
さらに、ブログやソーシャル・ネットワーキング・サービス（Ｓｏｃｉａｌ  Ｎｅｔｗｏｒｋｉｎｇ  Ｓｅｒｖｉｃｅ、ＳＮＳ）といったコミュニケーション基盤に位置情報という新たな要素を追加しコミュニケーションの幅を広げるといった用途にも適用可能である。
【図面の簡単な説明】
【００６５】
【図１】実施の形態に係る情報受送信装置の内部構成図である。
【図２】実施の形態に係る位置情報ブックマークの構造を示す図である。
【図３】実施の形態に係る位置情報ブックマークの構造を示す図である。
【図４】実施の形態に係る位置情報ブックマークの構成を示す図である。
【図５】実施の形態に係る情報受送信装置と端末との間の動作を示すフロー図である。
【図６】実施の形態に係る情報受送信装置と端末との間の動作を示すフロー図である。
【図７】実施の形態に係る情報受送信装置と端末との間の動作を示すフロー図である。
【図８】実施の形態に係る公開範囲を模式的に示す図である。
【図９】実施の形態に係る位置情報ブックマークを説明するイメージ図である。
【図１０】実施の形態に係る位置情報ブックマークの構造の一例を示す図である。
【図１１】実施の形態に係る位置情報ブックマークの構造の一例を示す図である。
【図１２】実施の形態に係る位置情報ブックマークの構造の一例を示す図である。
【符号の説明】
【００６６】
１０  端末
２０  機器
３０  情報発信システム
４０  情報データベース
５０  位置情報ブックマークデータベース
６０  利用者情報データベース
７０  情報取得部
１１０  位置情報取得手段
１２０  情報発信手段
１３０  情報受信手段
１４０  情報操作手段
２１０  端末位置検知手段
３１０  位置情報解析手段
３２０  情報送信手段
３３０  位置情報ブックマーク管理手段
３４０  情報検索手段
５００  情報受送信装置
１０００  通信ネットワーク
【図１】
2008242526.tif 000003
【図２】
2008242526.tif 000004
【図３】
2008242526.tif 000005
【図４】
2008242526.tif 000006
【図５】
2008242526.tif 000007
【図６】
2008242526.tif 000008
【図７】
2008242526.tif 000009
【図８】
2008242526.tif 000010
【図９】
2008242526.tif 000011
【図１０】
2008242526.tif 000012
【図１１】
2008242526.tif 000013
【図１２】
2008242526.tif 000014